(57)【要約】      （修正有）【課題】スコープ玩具の向き水平面内で変化させた場合、自動的に画像が変化する安価なスコープ玩具を提供する。【解決手段】回転軸を中心に回転する方位磁針２０と、円筒状で周面に画像３１が担持され方位磁針２０の回転軸と中心軸が合致するように方位磁針２０に取り付けられた画像担持体３０と、使用者から見て前記ケーシングにおける手前側の位置に設けられ前記画像担持体の画像を視認するための覗き窓１３Ａ，１３Ｂとをケーシング１０に設ける。これにより、スコープ玩具の向きを水平面内で変えると、それに対応して方位磁針がケーシングに対して相対的に回転して、覗き窓から見た画像が自動的に変化する。【選択図】図１
0003165893.tif 000002
【実用新案登録請求の範囲】
【請求項１】
ケーシングに、
回転軸を中心に回転する方位磁針と、
円筒状で周面に画像が担持され、前記方位磁針の回転軸と中心軸が合致するように前記方位磁針に取り付けられた画像担持体と、
使用者から見て前記ケーシングにおける手前側の位置に設けられ前記画像担持体の画像を視認するための覗き窓と、が設けられていることを特徴とするスコープ玩具。
【請求項２】
前記画像担持体の内周面に正立像が担持され、前記画像担持体の奥側の内周面に対峙して設けられ前記正立像を左右反転した画像として映し出す第１の反射鏡と、前記第１の反射鏡に対峙して設けられ前記第１の反射鏡に映し出された画像をさらに左右反転した画像として映し出す第２の反射鏡とを備え、前記覗き窓から、前記第２の反射鏡に映し出された画像を視認するように構成されていることを特徴とする請求項１に記載のスコープ玩具。
【請求項３】
前記正立像は、実際の風景画像であり、前記画像担持体の全周に亘って担持されていることを特徴とする請求項２に記載のスコープ玩具。
【請求項４】
前記画像担持体の外周面に倒立像が担持され、前記画像担持体の奥側の外周面に対峙して設けられ前記倒立像を左右反転した画像として映し出す第１の反射鏡と、前記第１の反射鏡に対峙して設けられ前記第１の反射鏡に映し出された画像を上下左右反転した画像として映し出す第２の反射鏡とを備え、前記覗き窓から、前記第２の反射鏡に映し出された画像を視認するように構成されていることを特徴とする請求項１に記載のスコープ玩具。
【請求項５】
前記画像担持体の外周面に倒立像が担持され、前記画像担持体の手前側の外周面に対峙して設けられ前記倒立像を上下左右反転させるレンズを備え、前記覗き窓から、前記レンズを透過した画像を視認するように構成されていることを特徴とする請求項１に記載のスコープ玩具。
【請求項６】
前記倒立像は、実際の風景画像の上下左右を反転させたものであり、前記画像担持体の全周に亘って担持されていることを特徴とする請求項４又は５に記載のスコープ玩具。
【請求項７】
前記画像担持体の内周面に倒立像が担持され、前記画像担持体の手前側の内周面に対峙して設けられ画像の左右反転機能を有する反射鏡と、前記画像担持体の手前側の内周面と前記反射鏡との間、又は、前記反射鏡と前記覗き窓との間に設けられ画像の上下左右反転機能を有するレンズとを備え、前記覗き窓から、前記反射鏡及び前記レンズによって前記倒立像を上下反転させた画像を視認するように構成されていることを特徴とする請求項１に記載のスコープ玩具。
【請求項８】
前記倒立像は、実際の風景画像の上下を反転させたものであり、前記画像担持体の全周に亘って担持されていることを特徴とする請求項７に記載のスコープ玩具。
【考案の詳細な説明】
【技術分野】
【０００１】
本考案はスコープ玩具に関するもので、特には、連続する画像を見るのに適したスコープ玩具に関するものである。
【背景技術】
【０００２】
従来、スコープ玩具として、ケーシング内に画面が表示されたフィルムを移動可能に設置しておき、そのフィルム上の画像を、レンズを備えた覗き部から覗くように構成したものが知られている（例えば、特許文献１）。
【０００３】
このスコープ玩具は、フィルムに、画像、例えば空，地上，地中の風景画像を３段に配置し、フィルムの上方に鏡を回転可能に設置するとともに、該鏡に重りを垂下した構造を有している。そして、このスコープ玩具は、使用者がケーシングを上下に傾けることによって、鏡を回転させ、それによって３段に配置した画像を選択的に見ることができるように構成されている。
このスコープ玩具によれば、ケーシングを上方に傾けると空の風景画像が見え、水平にすると地上の風景画像が見え、下方に傾けると地中の風景画像が見えることになるので、面白みのある画像が楽しめることになる。
また、このスコープ玩具では、フィルムがリールボビンに巻かれており、使用者がリールボビンを回転させることによってフィルムを移動させ、見える画像を変化させることができるように構成されている。
【先行技術文献】
【特許文献】
【０００４】
【特許文献１】実用新案登録第３０１８９３５号公報（図１乃至図６参照）
【考案の概要】
【考案が解決しようとする課題】
【０００５】
しかし、上記特許文献１の場合、スコープ玩具を上下方向に傾けた場合だけ自動的に画像が変化し、スコープ玩具の向きを横方向に変化させた場合には画像は自動的には変化しないため、実際のスコープとかけ離れ、その分、物足りないものとなっている。
【０００６】
本考案は、スコープ玩具の向きを水平面内で変化させた場合、自動的に画像が変化する安価で且つ面白みのあるスコープ玩具を提供することを目的とする。
【課題を解決するための手段】
【０００７】
請求項１の考案は、
ケーシングに、
回転軸を中心に回転する方位磁針と、
円筒状で周面に画像が担持され、前記方位磁針の回転軸と中心軸が合致するように前記方位磁針に取り付けられた画像担持体と、
使用者から見て前記ケーシングにおける手前側の位置に設けられ前記画像担持体の画像を視認するための覗き窓と、が設けられていることを特徴とするスコープ玩具である。
【０００８】
請求項２の考案は、請求項１に記載のスコープ玩具において、前記画像担持体の内周面に正立像が担持され、前記画像担持体の奥側の内周面に対峙して設けられ前記正立像を左右反転した画像として映し出す第１の反射鏡と、前記第１の反射鏡に対峙して設けられ前記第１の反射鏡に映し出された画像をさらに左右反転した画像として映し出す第２の反射鏡とを備え、前記覗き窓から、前記第２の反射鏡に映し出された画像を視認するように構成されていることを特徴とする。
【０００９】
請求項３の考案は、請求項２に記載のスコープ玩具において、前記正立像は、実際の風景画像であり、前記画像担持体の全周に亘って担持されていることを特徴とする。
【００１０】
請求項４の考案は、請求項１に記載のスコープ玩具において、前記画像担持体の外周面に倒立像が担持され、前記画像担持体の奥側の外周面に対峙して設けられ前記倒立像を左右反転した画像として映し出す第１の反射鏡と、前記第１の反射鏡に対峙して設けられ前記第１の反射鏡に映し出された画像を上下左右反転した画像として映し出す第２の反射鏡とを備え、前記覗き窓から、前記第２の反射鏡に映し出された画像を視認するように構成されていることを特徴とする。
【００１１】
請求項５の考案は、請求項１に記載のスコープ玩具において、前記画像担持体の外周面に倒立像が担持され、前記画像担持体の手前側の外周面に対峙して設けられ前記倒立像を上下左右反転させるレンズを備え、前記覗き窓から、前記レンズを透過した画像を視認するように構成されていることを特徴とする。
【００１２】
請求項６の考案は、請求項４又は５に記載のスコープ玩具において、前記倒立像は、実際の風景画像の上下左右を反転させたものであり、前記画像担持体の全周に亘って担持されていることを特徴とする。
【００１３】
請求項７の考案は、請求項１に記載のスコープ玩具において、前記画像担持体の内周面に倒立像が担持され、前記画像担持体の手前側の内周面に対峙して設けられ画像の左右反転機能を有する反射鏡と、前記画像担持体の手前側の内周面と前記反射鏡との間、又は、前記反射鏡と前記覗き窓との間に設けられ画像の上下左右反転機能を有するレンズとを備え、前記覗き窓から、前記反射鏡及び前記レンズによって前記倒立像を上下反転させた画像を視認するように構成されていることを特徴とする。
【００１４】
請求項８の考案は、請求項７に記載のスコープ玩具において、前記倒立像は、実際の風景画像の上下を反転させたものであり、前記画像担持体の全周に亘って担持されていることを特徴とする。
【考案の効果】
【００１５】
本考案によれば、スコープ玩具の向きを水平面内で変えると、それに対応して方位磁針がケーシングに対して相対的に回転して、覗き窓から見た画像が自動的に変化する。このように動力は、ケーシングに対する方位磁針の相対的な回転によって生じるので、特別なセンサ及び動力源を必要としないことから、安価且つ面白みのあるスコープ玩具が実現できることになる。
なお、観光地の展望台等の周りの風景画像を使用する場合においては、例えば、地名,山等の名前を画像担持体に併せて担持させておけば、案内板としても有用なものとなる。
【図面の簡単な説明】
【００１６】
【図１】第１の実施形態に係るスコープ玩具の斜視図である。
【図２】図１に示したスコープ玩具の概略側面図である。
【図３】図１に示したスコープ玩具の向きを変えた場合の原理図である。
【図４】図１に示したスコープ玩具の画像担持体の内周面を示す斜視図である。
【図５】図１に示したスコープ玩具における画像変化を示す図であり、（Ａ）は画像担持体に担持されている画像、（Ｂ）は第１の反射鏡に映し出される画像、（Ｂ）は第２の反射鏡に映し出される画像を示す図である。
【図６】第２の実施形態に係るスコープ玩具の概略側面図である。
【図７】図６に示したスコープ玩具の画像担持体の内周面を示す斜視図である。
【図８】図６に示したスコープ玩具における画像変化を示す図であり、（Ａ）は画像担持体に担持されている画像、（Ｂ）は第１の反射鏡に映し出される画像、（Ｂ）は第２の反射鏡に映し出される画像を示す図である。
【図９】第３の実施形態に係るスコープ玩具の概略側面図である。
【図１０】図９に示したスコープ玩具の画像担持体の内周面を示す斜視図である。
【図１１】図９に示したスコープ玩具における画像変化を示す図であり、（Ａ）は画像担持体に担持されている画像、（Ｂ）は反射鏡に映し出される画像、（Ｂ）はレンズを透過した画像を示す図である。
【図１２】第４の実施形態に係るスコープ玩具の概略側面図である。
【図１３】図１１に示したスコープ玩具の画像担持体の内周面を示す斜視図である。
【図１４】図１２に示したスコープ玩具における画像変化を示す図であり、（Ａ）は画像担持体に担持されている画像、（Ｂ）は反射鏡に映し出される画像、（Ｂ）はレンズを透過した画像を示す図である。
【考案を実施するための形態】
【００１７】
以下、本考案に係るスコープ玩具の実施の形態を説明する。
【００１８】
［第１の実施形態］
図１はスコープ玩具の斜視図、図２はスコープ玩具の概略側面図である。
このスコープ玩具１はケーシング１０を備えている。このケーシング１０は、ケーシング本体１１が中空円筒状に構成され、このケーシング本体１１の外側に鏡胴１２が突出して形成された構造を有している。このスコープ玩具１は、特に限定はされないが、双眼鏡の形を有している。
【００１９】
スコープ玩具１のケーシング本体１１内には、棒状の方位磁針２０と、円筒状の画像担持体３０と、４つの反射鏡４０ａ，４１ａ，４０ｂ，４１ｂとが設置されている。
このうち方位磁針２０は、一端部がＮ極、他端部がＳ極となっている。この方位磁針２０の中心は円錐状の軸２１によって下方から支持されている。この方位磁針２０は、軸２１の上で回転し、地磁気に反応してＮ極が北を、Ｓ極が南を指示するようになっている。なお、ここでは円錐状の軸２１としているが、方位磁針２０の支持が不安定となる場合には、円錐状の軸２１に代えて、方位磁針２０を貫通する軸を設けたり、吊り下げたりすることもできる。要は、方位磁針２０が所定の軸を中心に回転できることである。
【００２０】
円筒状の画像担持体３０は、方位磁針２０の回転軸に中心軸が一致するようにして、方位磁針２０の上に取り付けられている。
この画像担持体３０の内周面には画像３１が担持されている。この画像担持体３０は円筒状の基体に、画像３１が担持されたフィルムを貼り付けて形成したものであってもよいし、円筒状の基体自体に画像３１を描いたものであってもよい。なお、画像担持体３０は方位磁針２０の上に取り付けられるものであるため、方位磁針２０によって動作できる程度に軽量にすることが必要である。
この画像担持体３０に担持される画像としては、特に限定はされないが、全周に沿って連続する画像３１が使用されている。この場合、画像３１の種類としては、パノラマ風の風景画像が好ましい。さらに、風景画像は、線画や絵画等であってもよいが、実際の写真画像であることが好ましい。
【００２１】
４つの反射鏡４０ａ，４１ａ，４０ｂ，４１ｂのうち反射鏡４０ａ，４０ｂは、使用者から見て画像担持体３０の手前側の内周面に対峙して設けられている。一方、反射鏡４１ａ，４１ｂは反射鏡４０ａ，４０ｂに対峙して設けられている。
これら反射鏡４０ａ，４１ａ，４０ｂ，４１ｂは直接又は間接にケーシング１０に固定されている。例えば、これら反射鏡４０ａ，４１ａ，４０ｂ，４１ｂは、接着剤等によってケーシング１０に直接固定されるか、ブラケット等を介して個別にケーシング１０の天板等に間接に固定されている。
図１において、左側の２つの反射鏡４０ａ，４１ａは左目用のもの、右側の２つの反射鏡４０ｂ，４１ｂは右目用のものである。反射鏡４０ａ，４１ａの反射面同士、反射鏡４０ｂ，４１ｂの反射面同士は略平行となっている。また、反射鏡４０ａ，４１ａの反射面と反射鏡４０ｂ，４１ｂの反射面とは、互いに近接する方向に少しばかり屈曲された形となっている。これは、使用者が左右の覗き窓１３Ａ，１３Ｂから内部を覗いた際に、反射鏡４０ａ，４１ａ，４０ｂ，４１ｂを介して、画像担持体３０の内周面の同じ場所の画像３１を見ることができるようにするためである。ただし、画像担持体３０の内周面の同じ場所の画像３１を見ることができるのであれば、反射鏡４０ａの反射面と反射鏡４０ｂの反射面との組だけを屈曲させるか、反射鏡４１ａの反射面と反射鏡４１ｂの反射面の組だけを屈曲させるようにしてもよい。
【００２２】
なお、ここでは採光について触れていないが、実施形態のスコープ玩具１ではケーシング１０内が暗くなるので、画像が見にくくなる場合がある。その場合には、ケーシング本体１１に適宜に採光窓を設け、画像担持体３０の画像３１を照らすようにすればよい。或いは、ケーシング１０の天板その他に発光体を設け、その発光体で画像担持体３０の画像を照らすようにしてもよい。
【００２３】
次に、このスコープ玩具１の動作原理について説明する。
図３の右図に示すように、使用者の視線の方向と方位磁針２０の方向とが一致している場合には、使用者が覗き窓１３Ａ，１３Ｂから内部を覗くと、４つの反射鏡４０ａ，４１ａ，４０ｂ，４１ｂを介して、画像担持体３０の内周面の所定の画像３１Ａが見えることになる。
【００２４】
一方、図３の右図の状態から図３の左図の状態となるように使用者がスコープ玩具１の向きを水平面内で変える場合を考えると、スコープ玩具１の向きを水平面内で変えても、方位磁針２０は地磁気に反応してＮ極が北を、Ｓ極が南を指示する状態を維持しようとするので、方位磁針２０の方向は変化しない。
すなわち、使用者がスコープ玩具１を左に向けると、方位磁針２０は元の状態を維持しようとして、ケーシング１０に対して相対的に右回り（時計方向）に回転する。反対に、使用者がスコープ玩具１を右に向けると、この場合にも方位磁針２０は元の状態を維持しようとして、ケーシング１０に対して相対的に左回り（半時計方向）に回転する。このように方位磁針２０は常に同じ向きとなるようにケーイング１０に対して回転するので、スコープ玩具１の向きを水平面内で変えても、方位磁針２０の方向は変化しない。
【００２５】
他方、４つの反射鏡４０ａ，４１ａ，４０ｂ，４１ｂはケーシング１０に固定されているので、スコープ玩具１の向きに追従して変化する。したがって、使用者が覗き窓１３Ａ，１３Ｂから内部を覗きながらスコープ玩具１の向きを変えると、４つの反射鏡４０ａ，４１ａ，４０ｂ，４１ｂを介して見える画像が連続的に変化することになる。
この実施形態のスコープ玩具１では、上述したように、方位磁針２０の中心と画像担持体３０の中心とを一致させているため、スコープ玩具１の向きを角度αだけ変化させると、ケーシング１０に対して方位磁針２０も同じ角度αだけ相対的に回転することになる。その結果、観察位置の画像は、画像３１Ａから中心角でαだけ離れた場所の画像３１Ｂに変化することになる。
【００２６】
次に、画像の見え方について説明する。
第１の実施形態のスコープ玩具１の場合、画像担持体３０の内周面に担持されている画像を図４及び図５（Ａ）に示すような正立風景画像（正立像）としておけば、使用者はその正立風景画像を元の状態のままで見ることができる。
すなわち、画像担持体３０の内周面と対峙して設けられた反射鏡４０ａ, ４０ｂに映し出される画像は、図５（Ｂ）に示すように、画像担持体３０の内周面に担持されている画像を左右反転させた画像となる。そして、次の反射鏡４１ａ、４１ｂに映し出される画像は、図５（Ｃ）に示すように、反射鏡４０ａ, ４０ｂに映し出される画像をさらに左右反転させた画像となる。結局、反射鏡４１ａ、４１ｂに映し出される画像は、画像担持体３０の内周面に担持されている画像と同様の正立風景画像となる。そして、この反射鏡４１ａ、４１ｂに映し出される画像を使用者が見ることになる。
【００２７】
この場合、スコープ玩具１の向きを水平面内で左向きに変化させれば、画像担持体３０、反射鏡４０ａ，４０ｂ及び反射鏡４１ａ，４１ｂの上での画像は、図５（Ａ），（Ｂ），（Ｃ）の下の矢印で示されているように、画像３１Ａから画像３１Ｂの方向に画像が変化することになる。
その結果、画像担持体３０に担持されている画像として、正立した実際の風景画像をそのまま用いれば、使用者は実際の風景画像を正立状態で見ることができ、しかも、例えば、スコープ玩具１の向きを左向きに変えた際に、覗き窓１３Ａ，１３Ｂから見た画像が左から右に流れて変化するので、実際のスコープを見ているかのような実感性が得られることになる。
【００２８】
［第２の実施形態］
図６は第２の実施形態のスコープ玩具１の概略側面図である。
このスコープ玩具１は、使用者から見て奥側の画像担持体３０の外周面に担持された画像（図７）を、４つの反射鏡４０ａ，４１ａ，４０ｂ，４１ｂを介して、使用者が見る構造となっている。４つの反射鏡４０ａ，４１ａ，４０ｂ，４１ｂのうち反射鏡４０ａ，４１ａは左目用で、反射鏡４０ｂ，４１ｂは右目用である。図６には、反射鏡４０ａ，４１ａが重ねて記載されるとともに、反射鏡４０ｂ，４１ｂも重ねて記載されているが、実際には、図１と同様に図６の紙面に直交する方向に離れて配置されている。
【００２９】
この第２の実施形態の場合、画像担持体３０の外周面に担持されている画像を図８（Ａ）に示すような倒立風景画像としておけば、使用者はその倒立風景画像を上下左右反転させた正立風景画像として見ることができる。
すなわち、画像担持体３０の外周面に対峙される反射鏡４０ａ, ４０ｂに映し出される画像は、図８（Ｂ）に示すように、画像担持体３０の外周面に担持されている倒立像を左右反転させた画像となる。そして、反射鏡４１ａ、４１ｂに映し出される画像は、図８（Ｃ）に示すように、反射鏡４０ａ, ４０ｂに映し出される画像を上下反転させた画像となる。結局、反射鏡４１ａ、４１ｂに映し出される画像は、画像担持体３０の内周面に担持されている倒立風景画像を上下左右反転させた正立風景画像となる。そして、この反射鏡４１ａ、４１ｂに映し出される正立風景画像を使用者が見ることになる。
その結果、画像担持体３０に担持されている画像として、実際の風景画像を逆さにした画像（上下反転画像）を用いれば、使用者は実際の風景画像を正立状態で見ることができ、しかも、例えば、スコープ玩具１の向きを左向きに変えた際に、覗き窓１３Ａ，１３Ｂから見た画像が左から右に流れて変化するので、実際のスコープを見ているかのような実感性が得られることになる。
【００３０】
［第３の実施形態］
図９は第３の実施形態のスコープ玩具１の概略側面図である。
このスコープ玩具１は使用者から見て手前側の画像担持体３０の外周面に担持された画像（図１０）を、当該外周面に対峙した２つの凸レンズ１２ａ，１２ｂを介して、使用者が見る構造となっている。２つの凸レンズ１２ａ，１２ｂのうち凸レンズ１２ａは左目用で、凸レンズ１２ｂは右目用である。図９には、凸レンズ１２ａ，１２ｂが重ねて記載されているが、実際には、図９の紙面に直交する方向に離れて配置されている。
【００３１】
この第３の実施形態の場合、画像担持体３０の外周面に担持されている画像を図１１（Ａ）に示すような倒立風景画像としておけば、使用者はその倒立風景画像を上下左右反転させた正立風景画像として見ることができる。
すなわち、覗き窓１３Ａ，１３Ｂから凸レンズｂ１２ａ，１２ｂを介して見た画像は、図１１（Ｂ）に示すように、画像担持体３０の外周面に担持されている画像を上下左右反転させた画像となる。結局、覗き窓１３Ａ，１３Ｂから凸レンズｂ１２ａ，１２ｂを介して見た画像は、画像担持体３０の内周面に担持されている倒立風景画像を上下左右反転させた正立風景画像となる。
その結果、画像担持体３０に担持されている画像として、実際の風景画像を逆さにした画像（上下反転画像）を用いれば、使用者は実際の風景画像を正立状態で見ることができ、しかも、例えば、スコープ玩具１の向きを左向きに変えた際に、覗き窓１３Ａ，１３Ｂから見た画像が左から右に流れて変化するので、実際のスコープを見ているかのような実感性が得られることになる。
【００３２】
［第４の実施形態］
図１２は第４の実施形態のスコープ玩具１の概略側面図である。
このスコープ玩具１は使用者から見て手前側の画像担持体３０の内周面に担持された画像（図１３）を、反射鏡４０ａ，４０ｂ及び２つの凸レンズ１２ａ，１２ｂを介して、使用者が見る構造となっている。２つの反射鏡４０ａ，４０ｂのうち反射鏡４０ａは左目用で、反射鏡４０ｂは右目用である。また、２つの凸レンズ１２ａ，１２ｂのうちレンズ１２ａは左目用で、レンズ１２ｂは右目用である。
なお、図１２には、反射鏡４０ａ，４０ｂが重ねて記載されているが、実際には、図１と同様に図１２の紙面に直交する方向に離れて配置されている。また、図１２には、凸レンズ１２ａ，１２ｂが重ねて記載されているが、実際には、図１２の紙面に直交する方向に離れて配置されている。
【００３３】
この第４の実施形態の場合、画像担持体３０の外周面に担持されている画像を図１４（Ａ）に示すような倒立風景画像としておけば、使用者はその倒立風景画像を上下反転させた正立風景画像として見ることができる。
すなわち、画像担持体３０の内周面と対峙して設けられた反射鏡４０ａ, ４０ｂに映し出される画像は、図１４（Ｂ）に示すように、画像担持体３０の内周面に担持されている画像を左右反転させた画像となる。そして、覗き窓１３Ａ，１３Ｂから凸レンズｂ１２ａ，１２ｂを介して見た画像は、図１４（Ｃ）に示すように、反射鏡４０ａ, ４０ｂに映し出される画像を上下左右反転させた画像となる。結局、覗き窓１３Ａ，１３Ｂから見た画像は、画像担持体３０の外周面に担持されている倒立風景画像を上下反転させた正立風景画像となる。
その結果、画像担持体３０に担持されている画像として、実際の風景画像を上下反転させた画像を用いれば、使用者は実際の風景画像を正立状態で見ることができ、しかも、例えば、スコープ玩具１の向きを左向きに変えた際に、覗き窓１３Ａ，１３Ｂから見た画像が左から右に流れて変化するので、実際のスコープを見ているかのような実感性が得られることになる。
【００３４】
以上、本考案の実施の形態について説明したが、本発明は、かかる実施形態に限定されるものではなく、その要旨を逸脱しない範囲で種々の変形が可能であることは言うまでもない。
【００３５】
例えば、上記実施形態では、使用者が正立の画像として見ることができるように構成したが、意外性を持たせるならば、使用者が倒立の画像を視認できるようにしてもよい。
また、上記実施形態では、使用者が見ることができる画像は、実際の風景が変化する方向に流れるようにしたが、あえて、画像担持体３０の画像を反対方向に流れるようにして、その画像変化に意外性を持たせるようにしてもよい。
【００３６】
また、上記実施形態のスコープ玩１具では、両眼でケーシング１０内を覗く構造であることから、鏡胴１２が双眼鏡用の鏡胴となっているが、片眼でケーシング１０内を覗く構造としてもよい。
【００３７】
さらに、上記実施形態では、上下左右を反転させるため凸レンズを設置したが、ルーペのように単に画像を拡大するためのレンズを設けることも可能である。
【００３８】
また、上記第４の実施形態で、凸レンズ１２ａ，１２ｂを反射鏡４０ａ，４０ｂと覗き窓１３Ａ，１３Ｂとの間に設けたが、凸レンズ１２ａ，１２ｂは画像担持体３０の内周面と反射鏡４０ａ，４０ｂとの間に設けられていてもよい。
【符号の説明】
【００３９】
１    スコープ玩具
１０    ケーシング
１１    ケーシング本体
１２    鏡胴
２０    方位磁針
２１    支持台
３０    画像担持体
３１    画像
４０    反射鏡
【図１】
0003165893.tif 000003
【図２】
0003165893.tif 000004
【図３】
0003165893.tif 000005
【図４】
0003165893.tif 000006
【図５】
0003165893.tif 000007
【図６】
0003165893.tif 000008
【図７】
0003165893.tif 000009
【図８】
0003165893.tif 000010
【図９】
0003165893.tif 000011
【図１０】
0003165893.tif 000012
【図１１】
0003165893.tif 000013
【図１２】
0003165893.tif 000014
【図１３】
0003165893.tif 000015
【図１４】
0003165893.tif 000016